(57)【要約】【課題】コストを低くすることができる竪樋の支持構造を提供する。【解決手段】竪樋２と、竪樋２を家屋３に固定するため所定の間隔をあけて家屋３に取付けられる複数の支持具１と、を備える竪樋２の支持構造である。竪樋２は、竪樋本体２１と、竪樋本体２１の家屋３側に設けられ且つ支持具１が取付けられる間隔に合わせて複数配設される所定の長さを有する被係合部２２と、を有する。支持具１と被係合部２２とが係合され竪樋２が家屋３に固定される。【選択図】図１
2014198956.tif 000002
【特許請求の範囲】
【請求項１】
竪樋と、前記竪樋を家屋に固定するため前記家屋の上下方向に所定の間隔をあけて取付けられる複数の支持具と、を備える竪樋の支持構造であって、
前記竪樋は、竪樋本体と、前記竪樋本体の前記家屋側に設けられ且つ前記支持具が取付けられる場所に合わせて複数配設される所定の長さを有する被係合部と、を有し、
前記支持具と前記被係合部とが係合され前記竪樋が前記家屋に固定されることを特徴とする竪樋の支持構造。
【発明の詳細な説明】
【技術分野】
【０００１】
本発明は、竪樋の支持構造に関するものである。
【背景技術】
【０００２】
従来から、竪樋に被係合部が設けられ、支持具の係合部と被係合部とを係合することにより、竪樋と家屋が固定されることが知られている（例えば特許文献１参照）。
【先行技術文献】
【特許文献】
【０００３】
【特許文献１】特開平７−２７９３３３号公報
【発明の概要】
【発明が解決しようとする課題】
【０００４】
特許文献１に記載されている発明では、図４に示すように竪樋本体２１に設けられる被係合部２２は、竪樋本体２１の家屋３側の上下方向の全体に亘って設けられている。しかし、被係合部２２と係合する係合部１２を有する支持具１は、上下方向に所定の間隔をあけて家屋３に取付けられている。そのため、竪樋２の熱伸縮を考慮した支持具１と被係合部２２との取付け代部分以外の被係合部２２は必要ではなかった。
【０００５】
本発明は上記従来の問題点に鑑みて発明したものであって、その目的とするところは、コストを低くすることができる竪樋の支持構造を提供することを課題とするものである。
【課題を解決するための手段】
【０００６】
上記課題を解決するために、本発明は、以下のような構成とする。
【０００７】
竪樋と、前記竪樋を家屋に固定するため所定の間隔をあけて前記家屋に取付けられる複数の支持具と、を備える竪樋の支持構造であって、前記竪樋は、竪樋本体と、前記竪樋本体の前記家屋側に設けられ且つ前記支持具が取付けられる間隔に合わせて複数配設される所定の長さを有する被係合部と、を有し、前記支持具と前記被係合部とが係合され前記竪樋が前記家屋に固定されることを特徴とする。
【発明の効果】
【０００８】
本発明の竪樋の支持構造は、コストを低くすることができる。
【図面の簡単な説明】
【０００９】
【図１】本発明の竪樋本体に取付けられる被係合部に支持具が係合している拡大斜視図である。
【図２】本発明の竪樋本体に取付けられる被係合部に支持具が係合している平面断面図である。
【図３】本発明の竪樋本体に取付けられる被係合部に家屋に固定された支持具が係合されている側面図である。
【図４】従来例の側面図である。
【発明を実施するための形態】
【００１０】
以下、本発明を添付図面に示す実施形態に基いて説明する。
【００１１】
竪樋２の支持構造は、図３に示すように、竪樋２と、竪樋２を家屋３に固定するため所定の間隔をあけて家屋３に取付けられる複数の支持具１と、を備えている。
【００１２】
竪樋２は、竪樋本体２１と、被係合部２２と、を有している。
【００１３】
竪樋本体２１は、内部が空洞であり、空洞に屋根から軒樋に流れ落ち集水器に集められた水が流れ落ちる。図２に示すように、竪樋本体２１は平面視円形となっているが、平面視矩形状でもよく、その形状は特に限定されない。竪樋本体２１の材質は、塩化ビニル、ステンレス、鉄、銅、等となっており、材質は特に限定されない。
【００１４】
被係合部２２は、竪樋本体２１の家屋３側に設けられる。ここで、図４に示すように、従来例の被係合部２２は竪樋本体２１の上下方向の全長に亘って設けられる。しかし、本実施形態の被係合部２２は、図３に示すように、支持具１の取付けられる所定の間隔に合わせて複数配設される。そして、図１に示すように、被係合部２２の上下方向の長さは所定の長さを有する。被係合部２２の所定の長さは、支持具１を被係合部２２に取付ける取付け代と竪樋本体２１の熱伸縮とを考慮した長さのことをいう（例えば１００ｍｍ）。被係合部２２は、凹溝２２ａと、被係合爪２２ｂと、を有している。
【００１５】
凹溝２２ａは、本実施形態では、図２に示すように、被係合部２２の家屋３側端部の家屋３から竪樋本体２１を視たときの左右方向の中間部が、竪樋本体２１から家屋３方向に開口を有する凹状となる溝である。
【００１６】
被係合爪２２ｂは、本実施形態では、図２に示すように、被係合部２２の家屋３側端部の家屋３から竪樋本体２１を視たときの左右方向の両端部で、被係合部２２の中心方向とは逆方向に突出している部分である。
【００１７】
支持具１は、家屋３に所定の間隔をあけて取付けられるが、その所定の間隔は強風等で竪樋２が支持具１から外れないようにできる間隔（例えば１０００ｍｍ）である。支持具１は、固定部１１と、係合部１２と、を有している。
【００１８】
固定部１１は、本実施形態では、図１に示すように、側面視Ｌ字状をしているが、その形状は限定されない。固定部１１は、当接部１１ｂと、接合部１１ａと、を有している。
【００１９】
当接部１１ｂは、家屋３と当接し支持具１を家屋３に固定するための固定具が挿通される挿通孔１１ｃを有する。
【００２０】
接合部１１ａは、係合部１２と一体又は別体で設けられる。本実施形態では、接合部１１ａは、別体で設けられる。そして、本実施形態で接合部１１ａは、係合部１２の接合溝に挿入され接着剤等で接合される。
【００２１】
係合部１２は、基部１２ａと、突出部１２ｂと、凸部１２ｄと、を有している。
【００２２】
基部１２ａは、接合部１１ａと接合する。本実施形態では、基部１２ａには、基部１２ａの家屋３側の端部の上下方向の中間部に、接合部１１ａが挿入される接合溝が設けられている。
【００２３】
突出部１２ｂは、図２に示すように、基部１２ａの竪樋２側端部の竪樋２から家屋３を視たときの左右方向の両端部から、家屋３から竪樋２の方向へと突出している。突出部１２ｂは、図２に示すように、突出部１２ｂの家屋３から竪樋２へと向かう方向の中間部に係合部１２の中心方向へと突出している係合爪１２ｃを、有している。
【００２４】
凸部１２ｄは、図２に示すように、基部１２ａの竪樋２側端部の竪樋２から家屋３を視たときの左右方向の中間部から家屋３から竪樋２の方向へと突出している。凸部１２ｄは、凹溝２２ａに挿入される。
【００２５】
基部１２ａと突出部１２ｂと係合爪１２ｃと凸部１２ｄとで囲まれる部分は、係合爪１２ｃと凸部１２ｄとの間に隙間を有する係合溝１３となっている。
【００２６】
以上の構成の支持具１と被係合部２２を用いて、竪樋２を家屋３に固定する方法を説明する。
【００２７】
支持具１の当接部１１ｂを家屋３に当接させ、当接部１１ｂの挿通孔１１ｃに固定具を挿通させ、固定具を家屋３に打ち込み、支持具１を家屋３に固定する。竪樋本体２１と被係合部２２は別体で設けられ、竪樋本体２１と被係合部２２とは超音波溶着により溶着される。支持具１の凸部１２ｄの上端部と竪樋２の被係合部２２の凹溝２２ａの下端部とを、凸部１２ｄが凹溝２２ａに挿入されるように凹溝２２ａの位置を合わせる。凹溝２２ａに凸部１２ｄを挿入すると共に、係合溝１３に被係合爪２２ｂを挿入し、竪樋２を下方へ移動させる。以上の操作により、竪樋２と家屋３を固定することができる。なお、係合爪１２ｃを被係合爪２２ｂで押圧し、係合爪１２ｃと被係合爪２２ｂの弾性変形により、被係合爪２２ｂを係合溝１３内に押し込んで、支持具１と被係合部２２を係合してもよい。
【００２８】
以上のような構成の竪樋２と支持具１を用いることで、本実施形態の被係合部２２は竪樋本体２１の家屋３側の上下方向の全長に亘って設けられるのではなく、所定の長さを有する被係合部２２が竪樋本体２１の家屋３側の上下方向に複数配設されることになる。そのため、図４の従来例の被係合部２２より、本実施形態の被係合部２２の方が、被係合部の上下方向の長さが短くなるので、コストを低くすることができる。
【００２９】
従来の被係合部２２と家屋３に固定された支持具１と係合する際、少しでも被係合部２２と支持具１との位置関係がずれていると係合することができなくなってしまっていた。本実施形態の被係合部２２は、所定の間隔をあけて竪樋本体２１に取付けられている。そして、取付けの際は、家屋３に取付けられている夫々の支持具１と、竪樋本体２１に取付けられている夫々の被係合部２２毎に係合していく。ここで、被係合部２２が上下方向に一直線上にならず、ある被係合部２１が平面視における左右方向の位置関係がずれていたとする。この場合、本実施形態では、位置がずれている被係合部２２の位置に合わせてある支持具１の位置を調整することにより、支持具１と被係合部２２は係合させることができる。
【００３０】
従来の被係合部２２と家屋３に固定された支持具１と係合する際、家屋３に取付けられている一番上方に位置している支持具１から順番に支持具１と被係合部２２を係合していかなくてはならなかった。しかし、本実施形態では、夫々の支持具１毎に対応する被係合部２２と係合するので、容易に支持具１と被係合部とを係合することができる。
【符号の説明】
【００３１】
１    支持具
１１  固定部
１１ａ  接合部
１１ｂ  当接部
１１ｃ  挿通孔
１２  係合部
１２ａ  基部
１２ｂ  突出部
１２ｃ  係合爪
１２ｄ  凸部
１３  係合溝
２    竪樋
２１  竪樋本体
２２  被係合部
２２ａ  凹溝
２２ｂ  被係合爪
３    家屋
【図１】
2014198956.tif 000003
【図２】
2014198956.tif 000004
【図３】
2014198956.tif 000005
【図４】
2014198956.tif 000006